(57)【要約】【課題】車椅子からの乗り移り動作を円滑に行うことができる便器用手摺を提供する。【解決手段】便所の床に固定設置された便器Ａの床固定部ａの前端よりも後方側において、その床固定部ａの両側部に配設される、前後方向に延びるベース部材１１、ベース部材１１に固着された起立部材１２、起立部材１２の上端部に固着された前後方向に延びる支持部材１５及び起立部材１２を相互に連結する連結部材１６を備えた本体部１０と、本体部１０を便器Ａに固定する固定部２０と、前後方向に進退自在に本体部１０に取り付けられた可動部３０と、可動部３０に取り付けられた手摺部材４０と、手摺部材４０を所定位置で保持するロック手段５０とを備え、可動部３０は、ベース部材１１及び支持部材１５に差し込まれて前後に進退する可動ベース部材３１及び上部可動部材３２と、これらをそれぞれの後端部で連結する連結部材３３とから構成されている。【選択図】        図１
2014004281.tif 000002
【特許請求の範囲】
【請求項１】
洋風便器の左右両側にそれぞれ起立する左右一対の起立部材を有する本体部と、
洋風便器の左右両側で前記本体部に前後方向に進退自在に支持された左右一対の可動ベース部材と、
先端部を後方側に跳ね上げ可能に、前記起立部材の上端部に取り付けられた手摺部材と、
前記本体部に取り付けられ、前記本体部を前記洋風便器に固定する固定部材と、
を備えていることを特徴とする便器用手摺。
【請求項２】
洋風便器の左右両側にそれぞれ起立する左右一対の起立部材を有する本体部と、
洋風便器の左右両側で前記本体部に前後方向に進退自在に支持された左右一対の可動ベース部材と、
左右一対の前記起立部材の上端部に前後方向に進退自在にそれぞれ取り付けられた左右一対の手摺部材と、
前記本体部に取り付けられ、前記本体部を前記洋風便器に固定する固定部材と、
前記手摺部材を、所定位置でロックするロック手段と
を備えていることを特徴とする便器用手摺。
【請求項３】
それぞれの前記可動ベース部材は、対応する前記手摺部材に連動して進退するようになっている請求項２に記載の便器用手摺。
【請求項４】
前記本体部は、前記可動ベース部材を進退自在に支持する左右一対の固定ベース部材を有しており、
前記固定ベース部材の前端部は、最も後退した前記可動ベース部材の前端部よりも後方側に位置している請求項１、２または３に記載の便器用手摺。
【発明の詳細な説明】
【技術分野】
【０００１】
この発明は、既設の洋風便器（以下、便器という。）に取り付けることで、足腰の弱い老人の用便動作を助けることのできる便器用手摺、特に、車椅子からの乗り移り動作が円滑に行える便器用手摺に関する。
【背景技術】
【０００２】
既設の便器に取り付ける便器用手摺としては、例えば、図１６に示すようなものがある。この便器用手摺７０は、同図に示すように、床に設置された便器Ａの左右両側に配設される一対のベースフレーム７１、７１と、それぞれのベースフレーム７１、７１の後方側に立設された起立部材７２、７２と、この起立部材７２、７２の上端部にそれぞれ支持された手摺部材７３、７３と、一対の起立部材７２、７２を、相互に連結する連結部材７４と、便器Ａの両側部を挟み込む一対の挟持部材７５、７５とを備えており、手摺部材７３、７３は、同図に二点鎖線で示すように、後方側に跳ね上げることができるようになっている。
【０００３】
従って、車椅子に座った足腰の弱い老人等が用便を行う際は、便器Ａの片側に車椅子を移動し、車椅子に近いほうの手摺部材７３を跳ね上げて移動空間を確保した状態で、車椅子から便器Ａに乗り移ることになる。
【先行技術文献】
【特許文献】
【０００４】
【特許文献１】特開平１０−２０１６７２号公報
【発明の概要】
【発明が解決しようとする課題】
【０００５】
しかしながら、上述したような便器用手摺７０では、手摺部材７３を跳ね上げることによって、車椅子から便器Ａに乗り移る老人等の移動空間を開放することはできるが、床に設置されているフレーム７１を老人等の移動経路から退避させることはできないので、老人等が車椅子から便器Ａに乗り移る際に、フレーム７１に足が引っかかり、円滑に乗り移ることができないといった問題がある。
【０００６】
そこで、この発明の課題は、車椅子からの乗り移り動作を円滑に行うことができる便器用手摺を提供することにある。
【課題を解決するための手段】
【０００７】
上記の課題を解決するため、請求項１に係る発明は、洋風便器の左右両側にそれぞれ起立する左右一対の起立部材を有する本体部と、洋風便器の左右両側で前記本体部に前後方向に進退自在に支持された左右一対の可動ベース部材と、先端部を後方側に跳ね上げ可能に、前記起立部材の上端部に取り付けられた手摺部材と、前記本体部に取り付けられ、前記本体部を前記洋風便器に固定する固定部材と、を備えていることを特徴とする便器用手摺を提供するものである。
【０００８】
また、上記の課題を解決するため、請求項２に係る発明は、洋風便器の左右両側にそれぞれ起立する左右一対の起立部材を有する本体部と、洋風便器の左右両側で前記本体部に前後方向に進退自在に支持された左右一対の可動ベース部材と、左右一対の前記起立部材の上端部に前後方向に進退自在にそれぞれ取り付けられた左右一対の手摺部材と、前記本体部に取り付けられ、前記本体部を前記洋風便器に固定する固定部材と、前記手摺部材を、所定位置でロックするロック手段とを備えていることを特徴とする便器用手摺を提供するものである。
【０００９】
また、請求項３に係る発明は、請求項２に係る発明の便器用手摺において、それぞれの前記可動ベース部材は、対応する前記手摺部材に連動して進退するようになっていることを特徴としている。
【００１０】
また、請求項４に係る発明は、請求項１、２または３に係る発明の便器用手摺において、前記本体部は、前記可動ベース部材を進退自在に支持する左右一対の固定ベース部材を有しており、前記固定ベース部材の前端部は、最も後退した前記可動ベース部材の前端部よりも後方側に位置していることを特徴としている。
【発明の効果】
【００１１】
以上のように、請求項１、２に係る発明の便器用手摺は、洋風便器の左右両側にそれぞれ起立する左右一対の起立部材を有する本体部に支持された左右一対の可動ベース部材が前後方向に進退するようになっているので、本体部を、最も前進した可動ベース部材の前端部よりも後方側に配置することができる。従って、洋風便器の一方の側部側に位置している車椅子から老人等が洋風便器に乗り移る際、一方の側部側の手摺部材を後方側に跳ね上げたり、スライドさせたりするだけでなく、その手摺部材に対応する可動ベース部材を後退させることによって、老人等の移動経路に全く障害物がなくなり、老人等が車椅子から洋風便器に円滑かつ確実に乗り移ることができる。
【００１２】
特に、請求項３に係る発明の便器用手摺は、それぞれの可動ベース部材が、対応する手摺部材に連動して進退するようになっているので、手摺部材と可動ベース部材とを個別に進退させる必要がなく、操作しやすい手摺部材を操作するだけでよいので、使い勝手がよい。
【００１３】
また、請求項４に係る発明の便器用手摺は、前記本体部が、前記可動ベース部材を進退自在に支持する左右一対の固定ベース部材を有しており、前記固定ベース部材の前端部は、最も後退した前記可動ベース部材の前端部よりも後方側に位置しているので、老人等が洋風便器に乗り移る際、固定ベース部材が障害になることもない。
【図面の簡単な説明】
【００１４】
【図１】この発明に係る便器用手摺の設置状態を示す斜視図である。
【図２】同上の便器用手摺の設置状態を示す正面図である。
【図３】同上の便器用手摺の設置状態を示す平面図である。
【図４】同上の便器用手摺の設置状態を示す側面図である。
【図５】同上の便器用手摺の固定部を示す詳細図である。
【図６】（ａ）、（ｂ）は同上の便器用手摺のロック手段を示す斜視図である。
【図７】同上の便器用手摺における右側の手摺部材を後退させた状態を示す斜視図である。
【図８】同上の便器用手摺における右側の手摺部材を「後退位置」に保持した状態を示す側面図である。
【図９】同上の便器用手摺における右側の手摺部材を「後退位置」に保持した状態を示す平面図である。
【図１０】同上の便器用手摺における右側の手摺部材を「中間位置」に保持した状態を示す平面図である。
【図１１】同上の便器用手摺における右側の手摺部材を「中間位置」に保持した状態を示す側面図である。
【図１２】他の実施形態である便器用手摺の設置状態を示す斜視図である。
【図１３】同上の便器用手摺を示す側面図である。
【図１４】図１３のＸ−Ｘ線に沿った断面図である。
【図１５】他の実施形態である便器用手摺の設置状態を示す斜視図である。
【図１６】従来の便器用手摺の設置状態を示す斜視図である。
【発明を実施するための形態】
【００１５】
以下、実施の形態について図面を参照して説明する。図１〜図４に示すように、この便器用手摺１は、基本的に金属製の角パイプによって形成されており、便所の床に固定設置された便器Ａの床固定部ａの前端よりも後方側において、その床固定部ａの両側部に配設される、前後方向に延びる左右一対のベース部材１１、各ベース部材１１に固着された左右一対の起立部材１２、各起立部材１２の上端部に固着された、各ベース部材１１に対応する位置で前後方向に延びる左右一対の支持部材１５及び左右一対の起立部材１２を相互に連結する連結部材１６を備えた本体部１０と、この本体部１０に取り付けられた、本体部１０を便器Ａに固定する左右一対の固定部２０と、前後方向に進退自在に本体部１０に取り付けられた左右一対の可動部３０と、各可動部３０に取り付けられた左右一対の手摺部材４０と、各手摺部材４０を所定位置で保持する左右一対のロック手段５０とから構成されている。
【００１６】
前記本体部１０を構成している起立部材１２は、ベース部材１１の中央部から垂直に立ち上がる下部支柱１３と、この下部支柱１３にその上端側から差し込まれて、下部支柱１３内を上下にスライドする、上端部が便器Ａの幅方向内側に張り出した上部支柱１４とから構成されており、上部支柱１４の上端部に支持部材１５が固着されている。
【００１７】
また、下部支柱１３の前面には複数のボルト挿通孔１３ａが上下に形成されており、いずれかのボルト挿通孔１３ａに通したノブボルト１２Ａを、上部支柱１４の下部前面に形成されたねじ孔（図示せず）にねじ込んで締め付けることにより、上部支柱１４を所定の高さに段階的に固定することができるようになっている。
【００１８】
前記連結部材１６は、左右一対の起立部材１２、１２を構成している下部支柱１３、１３から内側に張り出すように、下部支柱１３、１３の後面における中間高さ位置にそれぞれ固着された、便器Ａの幅方向に延びる左右一対の張出部１６ａ、１６ａと、両端部が左右一対の張出部１６ａ、１６ａにおける内端側の前面にそれぞれ連設された、便器Ａにおける床固定部ａの前端上部を取り囲むように、中央部を略Ｕ字状に屈曲させた屈曲部１６ｂとから構成されている。
【００１９】
前記連結部材１６の各張出部１６ａには、それぞれの外端側から、各張出部１６ａ内を左右にスライドする可動アーム１７が差し込まれており、各張出部１６ａの内端には、合成樹脂製のキャップがそれぞれ装着されている。
【００２０】
各可動アーム１７は、その先端部が閉塞されており、閉塞された先端部にねじ孔が形成されていると共に、そのねじ孔に、便所の壁面に当接して押圧する押圧部材１８が進退可能にねじ込まれている。
【００２１】
各張出部１６ａの後面には、左右方向に延びる長孔（図示せず）が形成されており、この長孔に通したノブボルト１７Ａを、可動アーム１７の内端後面に形成されたねじ孔（図示せず）にねじ込んで締め付けることにより、長孔の長さの範囲内で各可動アーム１７を任意の位置に固定することができるようになっている。
【００２２】
前記固定部２０は、図１〜図５に示すように、連結部材１６の張出部１６ａ、１６ａの外端部に立設された支持脚２１、２１と、この支持脚２１、２１の上端部にそれぞれ固着され、内側に向かって斜め上方に立ち上がる一対の固定アーム２２、２２と、それぞれの固定アーム２２にその上端から差し込まれて、上下方向にスライドする可動アーム２３、２３と、各可動アーム２３、２３の先端に取り付けられ、便器Ａの湾曲した上部外表面ｂに当接して押圧する押圧部２５とから構成されている。
【００２３】
また、固定アーム２２の上面には上下方向に延びる長孔２２ａが形成されており、この長孔２２ａに通したノブボルト２４を、可動アーム２３の下端部に形成されたねじ孔（図示せず）にねじ込んで締め付けることにより、長孔２２ａの長さの範囲内で可動アーム２３を任意の位置に固定することができるようになっている。
【００２４】
前記押圧部２５は、同図に示すように、可動アーム２３の上端に取り付けられたアジャスタ２６と、このアジャスタ２６に取り付けられた自在アタッチメント２７とから構成されている。
【００２５】
前記アジャスタ２６は、可動アーム２３の上端に形成されたネジ孔（図示せず）にねじ込まれる全ネジボルト２６ａと、この全ネジボルト２６ａに固定された、全ネジボルト２６ａを回転させるための回転操作部２６ｂとから構成されており、回転操作部２６ｂを回転させることで、全ネジボルト２６ａが回転しながら進退し、自在アタッチメント２７が、固定アーム２２の延びだし方向に進退するようになっている。
【００２６】
前記自在アタッチメント２７は、自在継手を介してアジャスタ２６に取り付けられており、図５に二点鎖線で示すように、便器Ａの上部外表面ｂの湾曲状態に応じて、ある程度の自由度を持ってその接触角度を調整できるようになっている。
【００２７】
前記可動部３０は、図１、図３及び図４に示すように、本体部１０を構成している各ベース部材１１に差し込まれて各ベース部材１１内を前後にスライドする、前後端にキャスタ３１ａ、３１ａが取り付けられた、ベース部材１１の２倍弱の長さを有する左右一対の可動ベース部材３１と、本体部１０を構成している各支持部材１５に差し込まれて各支持部材１５内を前後にスライドする、支持部材１５の２倍弱の長さを有する左右一対の上部可動部材３２と、可動ベース部材３１及び上部可動部材３２をそれぞれの後端部で連結する連結部材３３とから構成されており、上部可動部材３２の上面に手摺部材４０が取り付けられている。
【００２８】
前記連結部材３３は、可動ベース部材３１の後端部に固着された下部支柱３４と、この下部支柱３４にその上端側から差し込まれて、下部支柱３４内を上下にスライドする、上端部が便器Ａの幅方向内側に張り出した上部支柱３５とから構成されており、便器Ａの幅方向内側に張り出した上部支柱３５の上端部に上部可動部材３２の後端部が固着されている。
【００２９】
従って、各可動ベース部材３１と、それぞれに対応する上部可動部材３２とが、連動して前後方向に進退することになり、これに伴って、上部可動部材３２に取り付けられている手摺部材４０を後方にスライドさせると、対応する可動ベース部材３１も後方側に移動することになる。
【００３０】
前記手摺部材４０は、図１〜図４及び図６に示すように、金属製のフレーム４１と、このフレーム４１に装着されたに樹脂製のカバー４２とから構成されており、金属製のフレーム４１が、上部可動部材３２の上面の前端部及び中間部に固定部材４３を介して固定されている。また、本体部１０を構成している支持部材１５の上面には、前後方向に延びる長孔１５ａが形成されており、手摺部材４０のフレーム４１の後方側と上部可動部材３２の中間部とを固定している固定部材４３が、長孔１５ａ内を前後に移動するようになっている。
【００３１】
前記ロック手段５０は、図２及び図６（ａ）、（ｂ）に示すように、各支持部材１５の下面にそれぞれ形成されたスリット５１と、上部可動部材３２を前後にスライドさせたときに支持部材１５のスリット５１に一致する、上部可動部材３２の下面に等間隔で形成された３個のスリット５２と、便器Ａの幅方向内側に張り出した上部支柱１４の上端部の前面に回動可能に支持された、回動片５４の一端に９０度の角度をなすように操作片５５が連設された略Ｌ字形状のロック部材５３とから構成されており、ロック部材５３は、回動片５４の先端に、相互に一致したスリット５１、５２に係合可能な係止爪５４ａが設けられている。
【００３２】
前記ロック部材５３は、回動片５４側の中間部に回動支点が設けられており、通常の状態では、操作片５５が連設された回動片５４の他端側が下方側に回動し、回動片５４の先端に設けられた係止爪５４ａがスリット５１内に進入した状態に保持されるようになっている。
【００３３】
従って、上部可動部材３２を前後に進退させることによって、上部可動部材３２のいずれかのスリット５２が支持部材１５のスリット５１に一致した時点で、スリット５１内に進入している係止爪５４ａが上部可動部材３２のスリット５２にも進入し、上部可動部材３２、即ち、上部可動部材３２に取り付けられた手摺部材４０がその位置に保持されるようになっており、このロック手段５０は、上部可動部材３２の３個のスリット５２にそれぞれ対応する「前進位置」、「中間位置」または「後退位置」で手摺部材４０を保持することができる。
【００３４】
このようにして、手摺部材４０が「前進位置」、「中間位置」または「後退位置」に保持された状態で、図２に２点鎖線で示すように、操作片５５を便器Ａの幅方向内側に回動させると、係止爪５４ａのスリット５２への係合が解除されるので、手摺部材４０を前後に進退させることができる。
【００３５】
また、各ベース部材１１の前後端には、それぞれの下面側に、高さ調整を行うためのアジャスタ１１ａ、１１ａが取り付けられており、排水等を考慮して便所の床に傾斜が設けられている場合でも、それぞれのアジャスタ１１ａ、１１ａによって部分的に高さ調整を行うことができるので、設置される便器用手摺１のがたつきをなくすことができる。
【００３６】
以上のように構成された便器用手摺１は、図１〜図４に示すように、手摺部材４０を「前進位置」に保持した状態で使用されるが、例えば、便器Ａの右側に位置している車椅子から老人等が便器Ａに乗り移る際は、右側のロック部材５３の操作片５５を操作することによって係止爪５４ａのスリット５２への係合を解除し、手摺部材４０を後退させて「後退位置」に保持すると、図７〜図９に示すように、手摺部材４０だけでなく、対応する可動ベース部材３１も便器Ａの床固定部ａの前端よりも後方側に位置することになるので、老人等の移動経路に全く障害物がなくなり、老人等が車椅子から便器Ａに円滑かつ確実に乗り移ることができる。なお、老人等が便器Ａに乗り移る際は、必ずしも、手摺部材４０を「後退位置」まで待避させる必要はなく、図１０及び図１１に示すように、老人等の足腰がそれほど弱くない場合には、手摺部材４０を「中間位置」に保持した状態で、老人等に便器Ａへの乗り移り動作を行わせることも可能である。
【００３７】
また、この便器用手摺１は、手摺部材を後方側に跳ね上げるタイプの従来の便器用手摺とは異なり、老人等が車椅子から便器Ａに乗り移る際に、「後退位置」に保持した手摺部材４０に手をかけて体を支えることができるので、従来の便器用手摺に比べて便器Ａへの乗り移りを容易に行うことができる。
【００３８】
また、手摺部材４０の保持位置に拘わらず、可動ベース部材３１の前後端に設けたキャスタ３１ａ、３１ａが便所の床面に接地されるので、老人等が車椅子から便器Ａに乗り移る際に、「後退位置」に保持した手摺部材４０に手をかけて体を支えても、便器用手摺１全体が傾いたりすることがなく、老人等が安心して便器Ａに乗り移ることができる。
【００３９】
また、老人等が便座に着座した後は、上述したように、体の真横にあるロック部材５３の操作片５５を操作することによって係止爪５４ａのスリット５２への係合を解除しながら、手摺部材４０を簡単に前進させることができるので、作業性もよい。
【００４０】
なお、上述した実施形態では、可動部３０を構成している可動ベース部材３１を、本体部１０を構成しているベース部材１１に差し込んで、ベース部材１１内をスライドさせるようにしているが、これに限定されるものではなく、左右一対の可動ベース部材は、便器Ａの左右両側で前後方向に進退可能に、種々の方法を用いて、本体部に支持されていればよい。
【００４１】
また、上述した実施形態では、可動ベース部材３１と上部可動部材３２とを、連結部材３３によって、それぞれの後端部で連結するようにしているが、これに限定されるものではなく、それぞれの前端部で連結することも可能である。ただし、可動ベース部材３１と上部可動部材３２とをそれぞれの後端部で連結しておくと、起立部材１２の前方側が解放されるので、可動ベース部材３１の前部と上部可動部材３２の前部との間が開放されるので、より望ましい形態であるといえる。
【００４２】
また、上述した実施形態では、ロック部材５３の係止爪５４ａが、上部可動部材３２のスリット５２及び支持部材１５のスリット５１の双方に進入することによって上部可動部材３２を所定位置にロックするロック手段５０を採用しているが、これに限定されるものではなく、少なくとも、前進位置及び後退位置に保持することができる種々のロック手段を採用することができる。
【００４３】
また、上述した実施形態では、可動ベース部材３１と上部可動部材３２とを、連結部材３３によって連結することで、可動ベース部材３１と手摺部材４０とが連動して進退するようになっているがこれに限定されるものではなく、例えば、図１２〜図１４に示す便器用手摺２のように、可動ベース部材３１と上部可動部材３２とを相互に連結することなく、個別に進退させるようにしてもよい。
【００４４】
この便器用手摺２では、各可動ベース部材３１の前端部に進退操作用のグリップ３６が立設されており、各可動ベース部材３１を前進位置でロックするロック手段６０が設けられている。このロック手段６０は、各ベース部材１１の後端側上面に形成された嵌合孔（図示せず）を取り囲むように立設された内径が嵌合孔と略同径のパイプ６１と、可動ベース部材３１を前方側にスライドさせたときにベース部材１１の嵌合孔に一致する、可動ベース部材３１の後端側上面に形成された嵌合孔６２と、パイプ６１に挿入されるロックピン６３とから構成されており、グリップ３６を掴んで可動ベース部材３１を前進させることによって、ベース部材１１の嵌合孔と可動ベース部材３１の嵌合孔６２とが一致した時点で、パイプ６１に挿入されているロックピン６３が可動ベース部材３１の嵌合孔６２に進入し、可動ベース部材３１がその位置に保持されるようになっている。なお、可動ベース部材３１のロックを解除する場合は、ロックピン６３を持ち上げて可動ベース部材３１の嵌合孔６２から抜いた状態で、可動ベース部材３１を後退させればよい。
【００４５】
また、このように、可動ベース部材３１を独立して前後方向に進退させる場合は、必ずしも、手摺部材を前後方向に進退させる必要はなく、例えば、図１５に示す便器用手摺３のように、手摺部材４０ａを後方側に跳ね上げるようにしてもよい。なお、左右一対の手摺部材４０ａは、ロック手段５０ａによって、略垂直に立ち上がった所定の跳ね上げ位置でロックされるようになっている。
【産業上の利用可能性】
【００４６】
本発明は既設の洋風便器用の手摺として利用することができる。
【符号の説明】
【００４７】
１、２、３  便器用手摺
１０  本体部
１１  ベース部材
１１ａ  アジャスタ
１２  起立部材
１２Ａ  ノブボルト
１３  下部支柱
１３ａ  ボルト挿通孔
１４  上部支柱
１５  支持部材
１５ａ  長孔
１６  連結部材
１６ａ  張出部
１６ｂ  屈曲部
１７  可動アーム
１７Ａ  ノブボルト
１８  押圧部材
２０  固定部
２１  支持脚
２２  固定アーム
２２ａ  長孔
２３  可動アーム
２４  ノブボルト
２５  押圧部
２６  アジャスタ
２６ａ  全ネジボルト
２６ｂ  回転操作部
２７  自在アタッチメント
３０  可動部
３１  可動ベース部材
３１ａ  キャスタ
３２  上部可動部材
３３  連結部材
３４  下部支柱
３５  上部支柱
３６  グリップ
４０、４０ａ  手摺部材
４１  フレーム
４２  カバー
４３  固定部材
５０、５０ａ  ロック手段
５１、５２  スリット
５３  ロック部材
５４  回動片
５４ａ  係止爪
５５  操作片
６０  ロック手段
６１  パイプ
６２  嵌合孔
６３  ロックピン
Ａ  便器
ａ  床固定部
ｂ  上部外表面
【図１】
2014004281.tif 000003
【図２】
2014004281.tif 000004
【図３】
2014004281.tif 000005
【図４】
2014004281.tif 000006
【図５】
2014004281.tif 000007
【図６】
2014004281.tif 000008
【図７】
2014004281.tif 000009
【図８】
2014004281.tif 000010
【図９】
2014004281.tif 000011
【図１０】
2014004281.tif 000012
【図１１】
2014004281.tif 000013
【図１２】
2014004281.tif 000014
【図１３】
2014004281.tif 000015
【図１４】
2014004281.tif 000016
【図１５】
2014004281.tif 000017
【図１６】
2014004281.tif 000018